(57)【要約】      （修正有）【課題】余分な材料を必要とせず、良好なトラクション、快適性を有する打撃用具のグリップを提供する。【解決手段】複数の壁貫通孔２２を有する打撃用具用の軽量可撓性グリップ。壁貫通孔は、任意の形状または形態を有し、グリップ上の任意の所望の配設および位置に位置することができる。良好なトラクション、快適性および手触り感を得ることが出来る。【選択図】図１
2019076711.tif 000002
【特許請求の範囲】
【請求項１】
打撃用具用のグリップであって、
用具シャフトを内部に受け入れるように機能する開いた端部、および前記開いた端部と反対側の実質的に閉じた端部を有する可撓性管状部材と、
前記可撓性管状部材内に選択的に離間されている複数の壁貫通孔と、を含む、グリップ。
【請求項２】
前記開いた端部は、その内部にゴルフクラブシャフトを受け入れるように構成されている、請求項１に記載のグリップ。
【請求項３】
前記複数の壁貫通孔のうちの少なくとも１つは、円形状を有する、請求項２に記載のグリップ。
【請求項４】
前記複数の壁貫通孔のうちの少なくとも１つは、円筒形態を有する、請求項２に記載のグリップ。
【請求項５】
前記複数の壁貫通孔は、前記グリップの選択された領域のうちの少なくとも１つで設定された配設において、選択的に離間されている、請求項２に記載のグリップ。
【請求項６】
前記少なくとも１つの選択された領域は、前記グリップの上端部に、また前記グリップの上端部の周りで円周方向に設けられている、請求項５に記載のグリップ。
【請求項７】
前記少なくとも１つの選択された領域は、前記グリップの上端部の一方の側に設けられている、請求項５に記載のグリップ。
【請求項８】
前記複数の壁貫通孔のうちの少なくとも１つは、ベンチュリ形状を有する、請求項１に記載のグリップ。
【請求項９】
前記複数の壁貫通孔のうちの少なくとも１つは、他の前記複数の壁貫通孔のうちの少なくとも１つとは異なる直径を有する、請求項１に記載のグリップ。
【請求項１０】
前記複数の壁貫通孔のうちの少なくとも１つは、大きさが異なる、請求項１に記載のグリップ。
【請求項１１】
前記複数の壁貫通孔のうちの少なくとも１つは、形状が変化する、請求項２に記載のグリップ。
【請求項１２】
前記複数の壁貫通孔のうちの少なくとも１つは、溝である、請求項５に記載のグリップ。
【請求項１３】
前記グリップは、装飾的な着色をさらに含む、請求項１２に記載のグリップ。
【請求項１４】
前記設定された配設は、前記グリップ上の手の配置用のインジケータを含む、請求項１３に記載のグリップ。
【請求項１５】
前記グリップは、少なくとも２つの異なる材料を含み、前記複数の壁貫通孔が、前記２つの材料のうちの一方にのみ設けられている、請求項５に記載のグリップ。
【発明の詳細な説明】
【背景技術】
【０００１】
本開示は、概して、ハンドグリップに関し、より詳細には、例えばゴルフクラブ、テニスラケット、または同様のスポーツ用具などの打撃用具、あるいは、例えばハンマーまたは斧のような他のタイプの打撃用具で利用される軽量グリップに関する。本開示は、オートバイ、全地形対応（ａｌｌ−ｔｅｒｒａｉｎ）車、ジェットスキー、またはパーソナルウォータークラフト（ｐｅｒｓｏｎａｌ  ｗａｔｅｒｃｒａｆｔｓ）を含むが、これらに限定されないハンドグリップを必要とする任意の用途で利用され得る。
【０００２】
このようなグリップは、典型的に、実質的に閉じた端部と反対側の開いた端部とを有する管状に成形されたゴムまたはエストラマーから形成される。その開いた端部は、打撃用具のハンドルまたはシャフトを受け入れることができる。ハンドルまたはシャフトは、管状構成を有するか、あるいは、金属もしくは複合材、またはさらには木材のような中実材料から形成されてもよい。典型的には、グリップは、使用者が、その意図した使用、例えばゴルフクラブのようなスポーツ用具上で利用される場合のスイング中に握りやすいように、十分な相対硬度を有する材料から形成される。また、グリップは、硬くなりすぎないように良い手触り感と握り心地を有することが望ましい。
【０００３】
ゴルフグリップは、典型的には、ゴム、エラストマー、もしくは熱可塑性材料、またはこれらの材料の組み合わせから作られる。現在のデザインは、トラクション（ｔｒａｃｔｉｏｎ）および快適性を提供するためにテクスチャまたは凹みを使用する。この快適性を得るためにグリップは、使用者の手に馴染む、またはしなやかでソフトな可撓性表面を十分もたらす厚さで形成される。これは、用具の重量を増加するいくらかの量の材料を必要とし、結果として、材料のコスト増しを招くこととなる。
【０００４】
したがって、余分な材料を必要とせず、良好なトラクションおよび快適性を有する可撓性ゴルフクラブグリップのような軽量グリップ、特に、用具のハンドルまたはシャフトに組み付けられる１つの部品として射出成形または圧縮成形され得るようなグリップを提供することが望まれている。
【発明の概要】
【０００５】
本開示は、用具、ゴルフクラブのシャフトに組み付けられる単一の部材または一体の部材としてエラストマー材料から成形され得るタイプの用具、特にゴルフクラブ用の軽量の可撓性グリップについて記載する。一変形例において、本開示の可撓性グリップは、可撓性グリップ内に選択的に配設された複数の壁貫通孔（ｔｈｒｏｕｇｈ  ｗａｌｌ  ｃａｖｉｔｙ）を有する。
【０００６】
別の変形例において、壁貫通孔は、グリップの選択された部分に所望の衝撃吸収および快適性を提供できるように、壁を貫通する孔の形状を選択できる。
【０００７】
別の変形例において、壁貫通孔は、グリップ上のサイズおよび形状および位置が変化し得る。例えば、壁貫通孔は、より多く緩衝性または快適性、あるいはトラクション、またはその両方を提供できるように、グリップの１つの領域を、他の領域よりも大きく、あるいは異なった形状のものであってもよい。
【０００８】
本開示を特徴付ける新規性の様々な特徴を、特に、添付されてこの開示の一部を形成する特許請求の範囲とともに示す。より良好な理解およびその使用により達成されるその運用上の利点のため、添付の図面および説明的事項を参照する。
【図面の簡単な説明】
【０００９】
【図１】シャフト上の本開示の軽量グリップの断面図である。
【図２】図１の線２−２を示す断面に沿って取られた断面図である。
【図３】本開示によるゴルフグリップの正面図であって、手の配置用に使用され得る、複数の壁貫通孔の配設を示す。
【図４】本開示の別の態様における、図１の線４−４で示す断面に沿って取られた部分断面図である。
【図５】本開示の別の態様を示す図４と同様の図である。
【発明を実施するための形態】
【００１０】
図面を参照することは、本開示を限定することを意図せず、いくつかの図を通して、同様の番号は、同様または類似の特徴を示し、特にまず図１を参照すると、本開示の軽量の可撓性グリップの一変形例に、全体的に１０が示されている。グリップ１０は、エラストマー、ゴム、もしくは熱可塑性材料、またはそれらの組み合わせで形成された細長い可撓性管状部材１２であり、中空の内部へ開いた端部１４を有し、用具のハンドルまたはシャフト１６を内部に受け入れるために適合しており、図示された形態では、ゴルフクラブ用の管状シャフトを含んでいる。本開示は、あらゆるハンドグリップの用途に見出され、ゴルフグリップに限定されないことを理解されたい。グリップ１０は、開いた端部１４と反対側の実質的に閉じた端部１８を有し、ここではバット端部（ｂｕｔｔ  ｅｎｄ）と呼ぶ。バット端部１８は、グリップ１０のシャフト１６への組み付けを容易にし、かつ空気が内部を通って流れるかまたは循環することを可能にするための開口部２０が、その内部に提供されている。
【００１１】
バット端部１８は、管状部材１２と１つの部品として一体的に形成され、バット端部１８をそれと同時に射出成形または圧縮成形することによって、管状部材１２と同じ材料で作られてもよい。あるいは、バット端部１８は、異なる物理的特性、または色を有する異なる熱可塑性、エラストマー、またはゴム材料で形成されてもよく、当該技術分野で既知の任意の方法で管状部材１２の端部に取り付けられたバット端部１８を含んでもよい。
【００１２】
管状部材１２の壁を貫通する複数の孔２２は、任意の所望のパターンで配設され、管状部材１２上の任意の特定の位置、領域または複数の領域、例えば、領域Ｕ、Ｍ、Ｌに設けられる。グリップの上部領域はＵと表示され、中央領域はＭ、および下部領域はＬと表示されている。本明細書で用いられる壁貫通孔２２という用語は、管状部材１２の壁を完全に貫通し、シャフトまたはハンドル１６が終端になる、孔または溝または窪みまたは切り込みを含むが、これらに限定されないものを意味する。複数の壁貫通孔は、床部を有し、かつグリップの壁がシャフトまたはハンドルまで突き抜けてない凹みまたは他の窪みよりもグリップの重量を低減する。さらに、壁貫通孔２２は、凹みよりもより緩衝性を提供すことができ、打撃時に衝撃荷重によってグリップのゴムまたはエラストマー材料のより多くを変位させることができる。壁貫通孔２２により、グリップ１０の摩耗を監視するとともに、湿気を吸い取るために、グリップ１０の内側のシャフト１６の表面を見ることが可能になる。より詳細に説明されるが、壁貫通孔２２は、壁貫通孔２２の間でサイズ、形状、位置、および間隔または距離が変化し得る。
【００１３】
図１および図２では、壁貫通孔２２は円形状の孔であるが、他の変形例では、壁貫通孔２２は楕円形、三角形、直角形、四角形またはベンチュリ形状、あるいは砂時計形、溝または切り込みであってもよく、さらに、グリップ１０の直径、幅、サイズ、形状、または位置が変化し得る。図１において、グリップ１０上にＵと表示される主に上部領域または端部に壁貫通孔２２が設けられ、グリップ１０上にＭと表示される中央領域または区域にさらに延在していくつかの複数の壁貫通孔が設けられている。所望であれば、壁貫通孔２２のいくつかは、下部領域のためのＬと表示された領域においてグリップ１０の下部領域内にさらに延在することができる。孔２２は、グリップ１０の本体全体に沿って、またはグリップの一方の側にのみ、またはグリップの重量および感触を最適化するためにグリップの１つの領域の一方の側にのみ、必要に応じて配置することができる。
【００１４】
次に図２を参照すると、グリップ１０上の特定の位置は、複数の壁貫通孔２２を含むことができる。この実施形態においては、複数の壁貫通孔２２は、グリップ１０の特定の部分および位置の周りにのみ延在し、例えば、手の位置決用のガイドとして、または母校もしくはチームのような装飾もしくは印もしくは記号もしくは合言葉（複数の場合もある）の形態のような別の目的を果たすことができる。その部分は、グリップの任意の与えられた位置におけるグリップ全体またはグリップの一部分（二分の一、四分の一、十分の一等）を含むことができる。強調表示色（複数の場合もある）を含むことができる。他の実施形態においては、複数の壁貫通孔２２は、グリップ全体、または特定領域Ｕ、Ｍ、Ｌのグリップの選択された部分または位置に完全に延在することができる。図１および図２において、複数の壁貫通孔２２の各々が、実質的に一定の直径を有し、各壁貫通孔を円筒形状にしている。壁貫通孔２２は、全て同じ形状または直径を有する必要はない。複数の孔２２は、いくつかの溝、いくつかの貫通孔、幾何学的形状の壁孔、または他の形態からなることができる。複数の壁貫通孔２２は、任意の所望の形状を有し、射出、圧縮、または他の成形プロセスを含む任意の既知のプロセスによって、多くの異なる方法で構造的に形成され得る。
【００１５】
図３を参照すると、本開示は、軽量グリップを提供するためだけでなく、手の配置用の使用者のための指標としても使用され得る。図３のグリップ１０上の複数の壁貫通孔２２とともに、ひし形形状が結合されているようなパターンまたは設定された配設３０は、想像線で図示された手に見られるように、適切な手の配置３２用のガイドとしての機能を果たすことができる。配設３０は、図３に示すようにガイドとして機能させる境界３４、３６を有することができる。手の指でゴルフクラブグリップをしっかりと握るとき、ゴルファーの親指の内縁は、配設３０の片側の曲面３４に沿って配置し、反対側の曲面３６に沿って人差し指の内縁を配置する。この実施形態においては、各々の複数の壁貫通孔は、ひし形形状を有し、グリップ１０の実質的な前面に沿って延在している。他の変形例と同様に、各々のひし形形状の孔２２は、壁貫通孔２２である。さらに他の実施形態（図示せず）においては、壁貫通孔２２は、壁を通り抜けない他のエッチングまたは溝またはデザインと組み合わされてもよい。
【００１６】
図４に見られるように、壁貫通孔２２は、任意の所望の配設、位置、または領域においてグリップ１０の壁を貫通して切り抜かれた円形の穴の形態を取ることができる。円形の孔２２は、同じ直径ｄを有していてもよく、所望により異なる直径を有してもよい。円形の孔２２は、シャフト１６までの深さを有する。第２のカバー材料（図示せず）は、グリップ１０の上に含まれ、グリップ１０の管状材料の残りの部分とは異なる第２のタイプの材料からなる。第２の材料の使用は、より柔らかいグリップ用のより快適な感触をもたらし、あるいは硬い感触を持たせつつ握り心地をよりサポートするような利点をもたらすことができる。図５において、貫通孔２２は、砂時計のような形態を有していてもよく、それによってより多くの衝撃吸収をもたらすことができる。いくつかの図から直ちに明らかなように、壁貫通孔は、任意の形状または形態であってもよく、グリップ上の所望の配設、間隔および領域に位置することができる。
【００１７】
したがって、本開示は、ゴルフクラブの管状シャフトのような用具ハンドルの端部を内部に受け入れるように適合された開いた端部を有する管状部材を有するゴルフクラブのような用具用の軽量可撓性グリップを記載する。グリップの開いた端部は、反対側の実質的に閉じた端部を有し、これは異なるエラストマーまたはゴム材料で形成されてもよく、異なる硬度であってもよい。選択的に離間して位置し、管状部材内に設けられた複数の壁貫通孔は、トラクション、快適性、衝撃吸収、およびより軽量のグリップを提供することができる。孔２２は、射出成形、圧縮成形、または他の成形プロセスによって形成することができる。
【００１８】
模範的な変形例を、図面を参照して説明した。明らかに、上述の詳細な説明を読んで理解すると、他者に改変および変更が想到するであろう。それらが付随する特許請求の範囲内にあるかまたはそれらと同等である限り、模範的な変形例は、そのような改変および変更の全てを含むものとして解釈されることが意図される。
【図１】
2019076711.tif 000003
【図２】
2019076711.tif 000004
【図３】
2019076711.tif 000005
【図４】
2019076711.tif 000006
【図５】
2019076711.tif 000007
【外国語明細書】
2019076711000001.pdf